(57)【要約】本出願において、ブランド一覧情報を提供する方法及び装置が提供される。方法は、サーバが、ページアクセス要求を受信することと、ブランド情報一覧を含む対象ページを提供することとを含み、ブランド情報一覧は、ブランド識別情報とブランド関連データとを含む少なくとも１つのブランドのブランド情報を表示するために使用される。本出願の実施形態を通して、ブランド情報一覧内に表示される情報の有効性は向上し得る。
2019507426.tif 000002
【特許請求の範囲】
【請求項１】
ブランド一覧情報を提供する方法であって、
サーバが、ページアクセス要求を受信することと、
ブランド情報一覧を含む対象ページを提供することであって、前記ブランド情報一覧は、ブランド識別情報とブランド関連データとを含む少なくとも１つのブランドのブランド情報を表示するために使用される、前記ブランド情報一覧を含む前記対象ページを提供することと、
を含む、前記方法。
【請求項２】
前記ブランド関連データは、割引情報及び／または新商品情報を含む、請求項１に記載の方法。
【請求項３】
前記対象ページを提供することは、
前記ブランド情報一覧内の関連ブランドを決定することと、
データベースから各ブランドの関連データを取得することと、
取得した前記関連データを用いて前記ブランド情報を生成することと、
を含む、請求項１に記載の方法。
【請求項４】
前記関連データはブランド割引情報を含み、前記データベースから各ブランドの前記関連データを取得することは、
ブランド情報データベースに従って、各ブランドの割引情報が存在するか否かを判定することと、
前記割引情報が存在する場合、前記各ブランドの関連データとして、割引額及び／または前記割引情報の適用条件情報を検索し特定することと、
を含む、請求項３に記載の方法。
【請求項５】
前記関連データはブランド新商品情報を含み、前記データベースから各ブランドの前記関連データを取得することは、
各ブランドに関連付けられた商品オブジェクトデータベースに従って、新商品に分類される商品オブジェクトが存在するか否かを判定することと、
判定結果が肯定である場合、前記新商品に分類される前記商品オブジェクトの情報を取得して、前記各ブランドの前記関連データとして利用することと、
を含む、請求項３に記載の方法。
【請求項６】
前記新商品に分類される前記商品オブジェクトの前記情報を取得することは、新商品に分類される同一ブランド内の商品オブジェクトの数を計上し、前記新商品の前記数を前記ブランドの前記関連データとして設定することを含む、請求項５に記載の方法。
【請求項７】
前記新商品に分類される前記商品オブジェクトの前記情報を取得することは、前記新商品に分類される前記商品オブジェクトから代表画像を抽出し、前記代表画像を前記ブランドの前記関連データとして設定することを含む、請求項５に記載の方法。
【請求項８】
ブランド情報データベースに従って、前記ブランドのブランドポジショニング説明文情報を決定し、前記ブランドポジショニング説明文情報を前記ブランド情報に追加することをさらに含む、請求項３に記載の方法。
【請求項９】
前記データベースは複数の特質の関連データを含み、異なる特質は異なる優先度に対応し、前記データベースから各ブランドの前記関連データを取得することは、前記データベースから優先度の高い特質の関連データを優先的に取得し、前記優先度の高い前記特質の関連データが存在しない場合には、優先度の低い特質の関連データを取得することを含む、請求項３〜８のいずれか１項に記載の方法。
【請求項１０】
前記ブランド情報一覧内の各ブランドの表示順序は、第２のユーザとの各自の関連性に基づいて決定される、請求項１〜８のいずれか１項に記載の方法。
【請求項１１】
前記第２のユーザとあるブランドとの関連性は、前記第２のユーザの活動履歴データの統計を用いて決定される、請求項１０に記載の方法。
【請求項１２】
前記ブランド情報一覧内の様々なブランドは、分割表示面で表示される、請求項１〜８のいずれか１項に記載の方法。
【請求項１３】
ブランド一覧情報を提供する方法であって、
第２のユーザのクライアントが、ページアクセス要求をサーバに送信することと、
前記サーバにより提供される、ブランド情報一覧を含む対象ページを受信することであって、前記ブランド情報一覧は、ブランド識別情報とブランド関連データとを含む少なくとも１つのブランドのブランド情報を表示するために使用される、前記サーバにより提供される前記ブランド情報一覧を含む前記対象ページを受信することと、
前記対象ページを表示することと、
を含む、前記方法。
【請求項１４】
サーバにおいて適用される、ブランド一覧情報を提供する装置であって、
ページアクセス要求を受信するために使用される要求受信ユニットと、
ブランド情報一覧を含む対象ページを提供するために使用される対象ページ提供ユニットであって、前記ブランド情報一覧は、ブランド識別情報とブランド関連データとを含む少なくとも１つのブランドのブランド情報を表示するために使用される、前記対象ページ提供ユニットと、
を含む、前記装置。
【請求項１５】
前記ブランド関連データは、割引情報及び／または新商品情報を含む、請求項１４に記載の装置。
【請求項１６】
前記対象ページ提供ユニットは、
前記ブランド情報一覧内の関連ブランドを決定するために使用されるブランド決定サブユニットと、
データベースから各ブランドの関連データを取得するために使用される関連データ取得サブユニットと、
取得した前記関連データを用いて前記ブランド情報を生成するために使用されるブランド情報生成サブユニットと、
を含む、請求項１４に記載の装置。
【請求項１７】
前記関連データはブランド割引情報を含み、前記関連データ取得サブユニットは、
ブランド情報データベースに従って、各ブランドの割引情報が存在するか否かを判定するために使用される割引情報判定サブユニットと、
前記割引情報が存在する場合、前記各ブランドの関連データとして、割引額及び／または前記割引情報の適用条件情報を検索し決定するために使用される割引情報検索サブユニットと、
を含む、請求項１６に記載の装置。
【請求項１８】
前記関連データはブランド新商品情報を含み、前記関連データ取得サブユニットは、
各ブランドに関連付けられた商品オブジェクトデータベースに従って、新商品に分類される商品オブジェクトが存在するか否かを判定するために使用される新商品情報判定サブユニットと、
判定結果が肯定である場合、新商品に分類される同一ブランド内の商品オブジェクトの数を計上し、前記新商品に分類される前記商品オブジェクトの情報を取得して、前記各ブランドの前記関連データとして利用するために使用される新商品情報統計サブユニットと、
を含む、請求項１６に記載の装置。
【請求項１９】
前記新商品情報統計サブユニットは、具体的に、新商品に分類される同一ブランド内の商品オブジェクトの数を計上し、前記新商品の前記数を前記ブランドの前記関連データとして設定するために使用される、請求項１８に記載の装置。
【請求項２０】
新商品情報統計サブユニットは、具体的に、前記新商品に分類される前記商品オブジェクトから代表画像を抽出し、前記代表画像を前記ブランドの前記関連データとして設定するために使用される、請求項１８に記載の装置。
【請求項２１】
ブランド情報データベースに従って、前記ブランドのブランドポジショニング説明文情報を決定し、前記ブランドポジショニング説明文情報を前記ブランド情報に追加するために使用されるブランド説明情報決定ユニットを、さらに含む請求項１６に記載の装置。
【請求項２２】
前記データベースは複数の特質の関連データを含み、異なる特質は異なる優先度に対応し、前記関連データ取得ユニットは、具体的に、前記データベースから優先度の高い特質の関連データを優先的に取得し、前記優先度の高い前記特質の関連データが存在しない場合には、優先度の低い特質の関連データを取得するために使用される、請求項１６〜２１のいずれか１項に記載の装置。
【請求項２３】
前記ブランド情報一覧内の各ブランドの表示順序は、第２のユーザとの各自の関連性に基づいて決定される、請求項１６〜２１のいずれか１項に記載の装置。
【請求項２４】
前記第２のユーザとあるブランドとの関連性は、前記第２のユーザの活動履歴データの統計を用いて決定される、請求項２３に記載の装置。
【請求項２５】
前記ブランド情報一覧内の様々なブランドは、分割表示面で表示される、請求項１４〜２１のいずれか１項に記載の装置。
【請求項２６】
第２のユーザのクライアントにおいて適用される、ブランド一覧情報を提供する装置であって、
サーバへページアクセス要求を送信するために使用される要求送信ユニットと、
前記サーバにより提供される、ブランド情報一覧を含む対象ページを受信するために使用される対象ページ受信ユニットであって、前記ブランド情報一覧は、ブランド識別情報とブランド関連データとを含む少なくとも１つのブランドのブランド情報を表示するために使用される、前記対象ページ受信ユニットと、
前記対象ページを表示するために使用される対象ページ表示ユニットと、
を含む、前記装置。
【発明の詳細な説明】
【技術分野】
【０００１】
本出願は、ウェブページ情報処理の技術分野に関し、特にブランド一覧情報を提供する方法及び装置に関する。
【背景技術】
【０００２】
今日の電子商取引システムの急速な発展に伴い、電子商取引プラットフォームも、ユーザに商品情報を提供し、ユーザの多様な要望に応えるために、時間と共に進歩している。例えば、様々なブランド業者の参入により、電子商取引プラットフォームは、ユーザに商品の集合を提供することができ、もはや個人販売者が開く店に限られず、むしろブランド旗艦店、専門店などといったブランドが開く店に限られる。個人の店と比べて、ブランド旗艦店、専門店などは、商品品質及びサービス品質に関して、より確かな保証を有する。これに応じて、一部の購買者の買い物傾向は、業者を探すことから、ブランド店を探すことへ、徐々に変化している。
【０００３】
このような理由で、いくつかの電子商取引販売プラットフォームは、購買ユーザに、ブランド一覧のページ、またはページ内のブランド一覧欄を提供する（ブランド一覧が配置されるページまたは欄は通常「ブランドウォール」と称される）。一方では、このブランド一覧は、プラットフォームにおけるブランドの豊富さを披露するために、開設された全てのブランドを一つにまとめることができる。もう一方では、このブランド一覧はまた、特定のブランドに対応する店のエントリポイントとして機能することができ、ユーザが自身の好きなブランドを選んで、閲覧、購入などといった操作のために対応する店に入る手助けをする。例えば、多数のファストファッションブランドのブランド情報は通常、「Ｔモール」の「グローバルファストファッション」トピックのホームページ内のある欄に表示される。
【０００４】
既存の技術において、各ブランドのブランド情報がページのブランド一覧内に表示される場合、主に各ブランドの「ロゴ」（ブランド）及び／またはブランド名が表示される。購買ユーザは、ブランドのロゴまたはブランド名に関する個人の認識のレベルにより、入店する特定のブランド店を選び、閲覧または買い物を行う。しかしながら、購買ユーザの個人的な認識には、多くの場合限界があり、知らない事柄には寛容でないことが多い。結果的に、各ブランドのクリック率は、そのブランド自体の人気により密接に関係する。いくつかの新たに掲載されたブランド、または比較的低い人気のブランドが、ユーザの注目を引くことが比較的難しいことは明らかであろう。従って、関連店のトラフィックを増やすことは難しく、ブランド一覧内にこれらのブランドに関して提供されるブランド情報は、その正当な役割を果たすことができない。
【０００５】
そのため、ブランド一覧内のブランド情報の有効性を向上させる方法は、当業者により解決される必要のある技術的問題となっている。
【発明の概要】
【０００６】
本出願は、ブランド一覧内に表示されるブランド情報の有効性を向上することができる、ブランド一覧情報を提供する方法及び装置を提供する。
【０００７】
本出願は、以下の解決策を提供する。
【０００８】
ブランド一覧情報を提供する方法は、サーバが、ページアクセス要求を受信することと、ブランド情報一覧を含む対象ページを提供することであって、ブランド情報一覧は、ブランド識別情報とブランド関連データとを含む少なくとも１つのブランドのブランド情報を表示するために使用される、ブランド情報一覧を含む対象ページを提供することと、を含む。
【０００９】
ブランド一覧情報を提供する方法は、第２のユーザのクライアントが、ページアクセス要求をサーバに送信することと、サーバにより提供される、ブランド情報一覧を含む対象ページを受信することであって、ブランド情報一覧は、ブランド識別情報とブランド関連データとを含む少なくとも１つのブランドのブランド情報を表示するために使用される、サーバにより提供されるブランド情報一覧を含む対象ページを受信することと、対象ページを表示することと、を含む。
【００１０】
サーバにおいて適用される、ブランド一覧情報を提供する装置は、ページアクセス要求を受信するために使用される要求受信ユニットと、ブランド情報一覧を含む対象ページを提供するために使用される対象ページ提供ユニットであって、ブランド情報一覧は、ブランド識別情報とブランド関連データとを含む少なくとも１つのブランドのブランド情報を表示するために使用される、対象ページ提供ユニットと、を含む。
【００１１】
第２のユーザのクライアントにおいて適用される、ブランド一覧情報を提供する装置は、サーバへページアクセス要求を送信するために使用される要求送信ユニットと、サーバにより提供される、ブランド情報一覧を含む対象ページを受信するために使用される対象ページ受信ユニットであって、ブランド情報一覧は、ブランド識別情報とブランド関連データとを含む少なくとも１つのブランドのブランド情報を表示するために使用される、対象ページ受信ユニットと、対象ページを表示するために使用される対象ページ表示ユニットと、を含む。
【００１２】
本出願により提供される特定の実施形態によれば、本出願は以下の技術的効果を開示する。
【００１３】
本出願の実施形態を通して、ブランド情報一覧が提供される時、各ブランドの関連データが一覧内に提供され得る。よって、第２のユーザは、ブランドの識別情報を参照として使用するだけではなく、一覧内の関連データを参照することで、閲覧などの後続動作に案内され得る。そのため、各ブランドがより均衡のとれた閲覧機会を得ることが可能となり得、ブランド情報一覧内に表示される情報の有効性は向上する。さらに、ブランド一覧はまた、この手法を通して各ブランドの関連データに焦点を当てて、第２のユーザが各ブランドの関連データを比較することを促進するように使用することが可能であり、これにより第２のユーザは、より効果的に各ブランドの閲覧及び買い物判断を行うように誘導される。
【００１４】
本出願を実施する任意の製品が、前述の利点を全て同時に達成する必要はないことは明らかであろう。
【００１５】
本出願の実施形態における技術的解決策、または既存の技術をより明確に説明するために、実施形態において用いられる図面が、ここに簡潔に説明される。ここで説明される図面は、本出願のいくつかの実施形態を表すに過ぎないことは明らかであろう。当業者は、これらの図面に基づいて、創作的努力を注ぐことなく他の図面をさらに取得することができる。
【図面の簡単な説明】
【００１６】
【図１】本出願の実施形態によるサーバの動作方法のフローチャートである。
【図２−１】本出願の実施形態によるページの概要図である。
【図２−２】本出願の実施形態によるページの概要図である。
【図３】本出願の実施形態によるクライアントの動作方法のフローチャートである。
【図４】本出願の実施形態によるサーバ装置の概要図である。
【図５】本出願の実施形態によるクライアント装置の概要図である。
【発明を実施するための形態】
【００１７】
本出願の実施形態の技術的解決策は、本出願の実施形態の添付図面を参照して、明確かつ全面的に本明細書に説明される。説明される実施形態は、本出願の実施形態の全てではなく一部のみを表すに過ぎないことは明らかであろう。本出願の実施形態に基づいて、当業者が取得する全ての他の実施形態は、本出願の保護範囲に含まれるものとする。
【００１８】
本出願の実施形態において、ブランド一覧内に表示されるブランド情報がその適切な役割をより良く果たすようにするために、ブランドのロゴ、名称、他の識別情報に加えて、例えば割引情報または新商品情報などであり得るブランドの関連データが提供され得る。あるいは、様々な種類の情報が、組み合わされ、その後ブランド情報としてブランド一覧内に表示され得る。このようにして、第２のユーザ（例えばプラットフォームにおける購買ユーザ、消費ユーザなど）は、ブランド一覧を見る時に、ブランドの独自性だけでなく、ブランドの関連データも見ることになる。従って、第２のユーザは、どの商品ブランドを閲覧または購買するかを、ブランドのロゴにのみ基づいて決定するのではなく、個々の関連データの組み合わせに基づいて総合的に判断することができるため、より多くのブランドへのトラフィックの提供、及びブランド一覧内に表示される情報の有効性の向上が促進される。さらに、ブランド一覧は複数のブランドを集中的に表示する特性があることから、このようなブランド一覧を介して各ブランドの関連データに焦点を置くことが可能となり、第２のユーザは各ブランドの関連データを比較でき、従って第２のユーザは、より効果的に各ブランドの閲覧及び買い物判断を行うように誘導される。
【００１９】
以下に、特定の実施態様が詳しく説明される。
【００２０】
第１実施形態
図１を参照すると、この実施形態は初めに、サーバの観点からブランド一覧情報を提供する方法を提供する。方法は、以下のステップを含み得る。
【００２１】
Ｓ１０１：サーバは、ページアクセス要求を受信する。
【００２２】
ページアクセス要求は、サーバに対し、第２のユーザのクライアントにより送信され得る。具体的には、第２のユーザがクライアントを通して特定のページにアクセスすると、クライアントは、特定のページのページデータを取得するために、対応するページアクセス要求をサーバに送信し得る。実際の用途において、アクセスされるページは、複数の種類からなり得る。ブランド情報一覧が含まれる限り、本出願の実施形態の解決策を用いて、対応するデータが提供され得る。
【００２３】
Ｓ１０２：ブランド情報一覧を含む対象ページが提供され、ブランド情報一覧は、ブランド識別情報とブランド関連データとを含む少なくとも１つのブランドのブランド情報を表示するために使用される。
【００２４】
ページアクセス要求を受信後、サーバは、対象ページをクライアントに提供し得る。対象ページは、ブランド情報一覧を含む。各ブランドのブランド情報が、ブランド情報一覧内に表示される時に、ブランド識別情報及びブランド関連データが表示され得る。
【００２５】
何のブランド情報がブランド一覧情報内に具体的に表示されるかは、実際のページにおける要求に応じて決定され得る。例えば、複数のブランドのブランド情報は、ブランド一覧内にカテゴリ別で表示され得る。あるいは、実際の用途において、いくつかのブランドは、いくつかの共通の特性を有することから、ブランド情報一覧内に集約されて表示され得る。例えば、いくつかのブランドは、「ファストファッションブランド」と称され、ファストファッションブランドに属する個々のブランドに関する情報は、例えば同一のブランド情報一覧上に表示され得る。
【００２６】
ブランド関連データは、割引情報、及び新商品情報など、以上の特質のうちの１つ以上の情報を含み得る。いわゆる割引情報は、例えば「５ドル」クーポン、「１０ドル」クーポンなどであり得る、ブランド店から提供されるクーポン情報などを指し得る。さらに、いくつかのブランド店はまた、割引情報に特定の適用条件を設定し得る。特定の適用条件は、第２のユーザの要求に応じて設定され得る、または購入額に応じて設定され得る。実施例として、「新規ユーザの場合利用可能」または「合計１００ドル購入の場合利用可能」などが挙げられる。
【００２７】
新商品情報は、ブランド店において新たにリリースされた商品オブジェクト情報を指し得る。特定の実施態様において、ブランド情報はブランド情報一覧内に表示されるため、情報を表示するのに使われる領域は限られる。そのため、本出願の実施形態における新商品情報は、新商品の量などの情報を含み得る。あるいは、別の実施態様においては、新商品の代表画像などの情報も、抽出され得る。
【００２８】
本出願の実施形態において、ブランド情報一覧内の各ブランドは、「ファストファッションブランド」であり得ることに留意されたい。このようなブランドを区別する特徴は、適正価格、商品の更新の速さ、及びファッションのトレンドである。そのため、本出願の実施形態によれば、ブランド情報一覧内に表示されるブランド関連データは、前述のブランド特性に関連し得る。各ブランドに対応する情報表示領域は限られるため、ブランドの特定の関連データがブランド情報一覧内に提供される時、いくつかの特質の関連データのみが提供され得る。このため、関連データの各特質に関して、対応する優先度情報も提供され得る。例えば、複数の特質の関連データに割引情報の特質、及び新商品情報の特質などが含まれる場合、割引情報の特質には高い優先度が設定され得、新商品情報の特質などには低い優先度が設定される。ブランドの関連データが提供される時、高い優先度の特質の関連データが、優先的に提供され得る。高い優先度の特質の関連データをブランドが有さない場合、より低い優先度の特質の関連データが取得され得る。例えば、ブランドが割引情報を有するか否かに関して、初めに判定が行われ得る。割引情報が存在する場合、ブランド情報一覧内に表示される関連データとして、割引情報が使用され得る。割引情報が存在しない場合、ブランドの新商品情報が存在するか否かに関して、判定が行われ得る。新商品情報が存在する場合、ブランド情報一覧内に表示される関連データとして、新商品情報が使用され得る。実際の用途において、各特質の優先度は、他の設定方法も有し得ることは明らかであるが、本明細書では詳細に説明しない。
【００２９】
実際の用途において、関連データは多くの場合、時相的な特性を有することは明らかであろう。例えば、あるブランドによるある期間内のある種の割引提供、またはある期間内の新商品の発売などが挙げられる。従って、ブランド情報がブランド一覧内に表示される時に、ブランドが現時点で関連データを有さない状況が存在し得る。この状況に応じて、ブランド一覧内の情報の有効性を向上させるために、ブランドポジショニング説明文情報もブランド一覧内に提供され得る。つまり、この種のブランドポジショニング説明文情報がブランド情報に追加され、ブランド一覧内に示され得る。このブランドポジショニング説明文情報は、そのブランドポジショニングの側面に関する説明効果を有する説明情報を指し、これは例えば、「大胆に革新的なフレンチファッションブランド」または「Ｎｏ．１グローバルファッションブランド」などといった、ブランド業者がブランドのポジショニングに応じて提唱するスローガン情報であり得る。
【００３０】
特定の実施態様において、対象ページにおけるブランド情報一覧内に具体的に表示される情報は、事前に設定され得る、あるいは、例えばサーバがアクセス要求を受信して、特定のブランド関連データを読み出してから、生成され得る。
【００３１】
後者の場合、サーバは、ブランド情報一覧内の関連ブランドを最初に決定し、ブランド情報データベースから各ブランドの関連データを取得し、次いでブランド情報データベースが含まれ得、かつ商品オブジェクト情報データベースが含まれ得るデータベースから、各ブランドの関連データを取得し得る。ブランド情報データベースは、割引情報、及びブランド説明情報などといったブランド関連情報を記憶するために使用される。商品オブジェクト情報データベースは、新商品であるか否かリリース時間などが含まれる商品オブジェクトの詳細情報を含み得る。ブランド情報データベース内の特定のデータは、第１のユーザ（例えば業者ユーザなど）により提供され、データベースシステム内のサーバにより記憶され得る。商品オブジェクト情報データベース内のデータも、第１のユーザにより投入されたデータに応じて記憶され得る、あるいは商品オブジェクトの実際の販売状況に関して統計が行われた後に、商品オブジェクト情報データベースに記憶され得る。
【００３２】
例えば、ブランド情報データベースに情報を記憶する様態が、以下の表１に提示され得る。
【００３３】
【表１】
2019507426.tif 000003
【００３４】
例えば、商品オブジェクト情報データベースに情報を記憶する様態が、以下の表２に提示され得る。
【００３５】
【表２】
2019507426.tif 000004
【００３６】
具体的には、ブランドの割引情報の取得中に、サーバは、ブランド情報データベースに従って、ブランドの割引情報が存在するか否かを判定し得る。存在する場合、サーバは、割引額及び／または割引情報の適用条件情報を抽出し、ブランドの関連データを決定し得る。ブランドの新商品情報の取得中に、ブランドに関連した商品オブジェクト情報データベースの情報に従って、商品オブジェクトが新商品として示されているか否かに関して、判定が行われ得る。存在する場合、同一ブランド内で新商品として示される商品オブジェクトの数量が計上され得、数量は、ブランドの関連データとして取り扱われる。あるいは、商品オブジェクトの代表画像が、新商品として示される商品オブジェクトから抽出され、代表画像は、ブランドの関連データとして取り扱われる。商品オブジェクトがリリースされると、新商品タグがサーバにより商品オブジェクト情報データベースに追加され、サーバは、新商品の期限を事前に設定し得る。例えば、１か月以内のリリース日を有する商品は新商品と呼ばれ、そのタグは１か月を過ぎると自動で削除される。新商品の代表画像が抽出されると、ブランドに複数の新商品が存在する場合、例えばランダム選択によりその中から一商品オブジェクトが選択され得、その商品オブジェクトの代表画像が、表示される関連データとして取り扱われる。どの画像が商品オブジェクトの代表画像として使用されるかは、商品オブジェクトがリリースされた時に指定され得る、あるいは他のやり方で、決定され、商品オブジェクト情報データベースに記録され得る。さらに、ブランドのブランドポジショニング説明文情報を取得する時、ブランドのブランドポジショニング説明文情報は、直接ブランド情報データベースから読み出され得る。
【００３７】
要するに、本出願の実施形態を通して、ブランド情報一覧が提供される時に、各ブランドの関連データが一覧内に提供され得る。よって、第２のユーザは、参照としてブランドの識別情報を使用するだけではなく、一覧内の関連データを参照することで、閲覧などの後続動作に案内され得る。そのため、様々なブランドに、より均衡のとれた閲覧機会を与えることが可能となり、ブランド情報一覧内に表示される情報の有効性を向上することが可能となる。さらに、ブランド一覧はまた、このように各ブランドの関連データに焦点を当てるように使用することが可能であるため、第２のユーザは各ブランドの関連データを比較することができ、これにより第２のユーザは、より効果的に各ブランドの閲覧及び買い物判断を行うように誘導される。
【００３８】
本出願の実施形態において、第２のユーザのクライアントが配置される端末デバイスは、携帯電話などの移動端末デバイスであり得ることに留意されたい。移動端末デバイスの画面のサイズが限られていることを考慮すると、ブランド情報一覧内に表示されるブランドの数は多くあり得る。よって、実際の用途において、ブランド情報一覧内の様々なブランドは、分割表示面で表示され得る。
【００３９】
例えば、図２‐１は、本出願の実施形態による対象ページの表示効果の概要図である。図に示されるように、ブランド情報一覧は、複数のブランドのブランド情報を含み、各ブランドのブランド情報は、各自のブランドの識別子及び関連データを含む。ブランド１の関連データは「Ｎｏ．１グローバルファッションブランド」であり、ブランド２の関連データは「既存ユーザ専用５ドルクーポン」であり、ブランド３の関連データは「９９個の新着商品」であることなどが挙げられる。図２‐１は、１つの画面におけるブランド情報を示し、画面は７つのブランドのブランド情報を表示する。まだ表示されていない他のブランド情報は、例えば左右方向にスライドすることで、ウィンドウの表示範囲に移動することができる。
【００４０】
あるいは、図２‐２を参照すると、ブランド一覧情報が表示される時、各ブランドは、横帯表示位置にも対応し得る。よって、各ブランドの情報表示位置面積は、図２‐１と比べて増加する。新商品情報が表示される時、新商品の１つ以上の代表画像が表示され得る。さらに、ブランドごとに、複数の特質のブランド情報が、同時に表示され得る。例えば、図２‐２において、ブランドの新商品の代表画像を表示する以外に、「少し斬新で、少し異なり、少し独特」などといったブランドポジショニング説明文情報も表示され得る。
【００４１】
さらに、様々なブランドの順序も、本出願の実施形態によるブランド情報一覧において設定され得ることに留意されたい。具体的には、複数の順序決定方法が存在し得る。例えば、各ブランドの人気度、または売上高などといったデータに基づいて、順序決定は行われ得る。あるいは、本出願の実施形態において、現在の第２のユーザに対する各ブランドの関連性に応じても決定を行ってもよく、これにより、第２のユーザがより関係するブランドの情報は、第２のユーザに対しより優先的に表示され得る。特定の実施態様において、第２のユーザとあるブランドとの相互関係は、第２のユーザの活動履歴データの統計により特定され得る。活動履歴データには、第２のユーザの閲覧活動データ、購入活動データ、及び収集行動データなどが含まれ得る。各ブランドと第２のユーザとの各相互関係が、計算され得る。この種の相互関係は、各ブランドに対する第２のユーザの各嗜好度などの情報を反映し得る。このようにして、情報の有効性はさらに向上され得る。さらに、ブランド一覧はまた、この手法を通して各ブランドの関連データに焦点を当てて、第２のユーザが各ブランドの関連データを比較することを促進するように使用することが可能であり、これにより第２のユーザは、より効果的に各ブランドの閲覧及び買い物判断を行うように誘導される。
【００４２】
第２実施形態
第２の実施形態は、第１の実施形態に対応し、第２のユーザのクライアントの観点からブランド一覧情報を提供する方法を提供する。図３を参照すると、方法は以下のステップを含み得る。
【００４３】
Ｓ３０１：第２のユーザのクライアントが、ページアクセス要求をサーバに送信する。
【００４４】
Ｓ３０２：サーバにより提供される、ブランド情報一覧を含む対象ページを受信し、ブランド情報一覧は、ブランド識別情報とブランド関連データとを含む少なくとも１つのブランドのブランド情報を表示するために使用される。
【００４５】
Ｓ３０３：対象ページを表示する。
【００４６】
第２の実施形態の実施態様の詳細は、第１の実施形態の説明を参照することができるため、ここで冗長的に説明されない。
【００４７】
第１の実施形態によるブランド一覧情報を提供する方法に対応して、本出願の実施形態は、ブランド一覧情報を提供する装置も提供する。装置は、サーバにおいて適用される。図４を参照すると、装置は具体的には、ページアクセス要求を受信するために使用される要求受信ユニット４０１と、ブランド情報一覧を含む対象ページを提供するために使用される対象ページ提供ユニット４０２であって、ブランド情報一覧は、ブランド識別情報とブランド関連データとを含む少なくとも１つのブランドのブランド情報を表示するために使用される、対象ページ提供ユニット４０２と、を含む。
【００４８】
ブランド関連データは、割引情報及び／または新商品情報を含む。
【００４９】
特定の実施態様において、対象ページ提供ユニットは、ブランド情報一覧内の関連ブランドを決定するために使用されるブランド決定サブユニットと、データベースから各ブランドの関連データを取得するために使用される関連データ取得サブユニットと、取得した関連データを用いてブランド情報を生成するために使用されるブランド情報生成サブユニットと、を含み得る。
【００５０】
関連データは、ブランド割引情報を含んでもよく、関連データ取得サブユニットは、ブランド情報データベースに従って、各ブランドの割引情報が存在するか否かを判定するために使用される割引情報判定サブユニットと、割引情報が存在する場合、各ブランドの関連データとして、割引額及び／または割引情報の適用条件情報を検索し特定するために使用される割引情報検索サブユニットと、を含む。
【００５１】
関連データは、ブランド（複数可）の新商品情報も含んでもよく、関連データ取得サブユニットは、ブランド（複数可）に関連付けられた商品オブジェクトデータベースに従って、新商品として分類される商品オブジェクトが存在するか否かを判定するために使用される新商品情報判定サブユニットと、新商品情報が存在する場合、新商品として分類される同一ブランド内の商品オブジェクトの数を計上し、新商品の数をブランドの関連データとして設定するために使用される新商品情報統計サブユニットと、を含む。
【００５２】
さらに、装置はまた、ブランド情報データベースに従って、ブランドのブランドポジショニング説明文情報を決定し、ブランドポジショニング説明文情報をブランド情報に追加するために使用されるブランド説明情報決定ユニットを含み得る。
【００５３】
データベースは、複数の特質の関連データを含み、異なる特質は異なる優先度に対応する。
【００５４】
関連データ取得サブユニットは具体的には、データベースから優先度の高い特質の関連データを優先的に取得し、優先度の高い特質の関連データが存在しない場合には、優先度の低い特質の関連データを取得するように使用される。
【００５５】
特定の実施態様において、ブランド情報一覧内の様々なブランドの表示順序は、第２のユーザとの関連性に基づいて決定され得る。
【００５６】
第２のユーザとあるブランドとの関連性は、第２のユーザの活動履歴データの統計を用いて決定される。
【００５７】
さらに、ブランド情報一覧内の様々なブランドは、分割表示面で表示される。
【００５８】
第２の実施形態によるブランド一覧情報を提供する方法に対応して、本出願の実施形態は、ブランド一覧情報を提供する装置も提供する。装置は、ユーザのクライアントにおいて適用される。図５を参照すると、装置は具体的には、サーバへページアクセス要求を送信するために使用される要求送信ユニット５０１と、サーバにより提供される、ブランド情報一覧を含む対象ページを受信するために使用される対象ページ受信ユニット５０２であって、ブランド情報一覧は、ブランド識別情報とブランド関連データとを含む少なくとも１つのブランドのブランド情報を表示するために使用される、対象ページ受信ユニット５０２と、対象ページを表示するために使用される対象ページ表示ユニット５０３と、を含み得る。
【００５９】
本出願の実施形態を通して、ブランド情報一覧が提供される時、各ブランドの関連データが一覧内に提供され得る。よって、第２のユーザは、ブランドの識別情報を参照として使用するだけではなく、一覧内の関連データを参照することで、閲覧などの後続動作に案内され得る。そのため、各ブランドがより均衡のとれた閲覧機会を得ることが可能となり得、ブランド情報一覧内に表示される情報の有効性は向上する。さらに、ブランド一覧はまた、この手法を通して各ブランドの関連データに焦点を当てて、第２のユーザが各ブランドの関連データを比較することを促進するように使用することが可能であり、これにより第２のユーザは、より効果的に各ブランドの閲覧及び買い物判断を行うように誘導される。
【００６０】
上記の実施形態の説明から分かるように、本出願は、ソフトウェアと必要な汎用ハードウェアプラットフォームより実施できることが、当業者には明確に理解されよう。この理解に基づき、本出願の技術的解決策の本質、または既存技術に貢献する部分は、ソフトウェア製品の形態で具現化され得る。ＲＯＭ／ＲＡＭ、磁気ディスク、または光ディスクなどの記憶媒体に記憶され得るこのコンピュータソフトウェア製品は、コンピューティングデバイス（パーソナルコンピュータ、サーバ、またはネットワークデバイスなどであり得る）に、本出願の各実施形態、または実施形態の特定部分において説明される方法を実行させる命令を含む。
【００６１】
本明細書における各実施形態は、漸進的に説明される。実施形態間の同一または類似部分は、互いに参照可能である。各実施形態は、他の実施形態の焦点とは異なる焦点を有する。特に、システムまたはシステムの実施形態は、方法の実施形態への基本的な類似点を有するため、その説明は比較的簡潔であり、関連部分は、方法の実施形態におけるそれぞれの部分の説明を参照してもよい。前述のシステム及びシステムの実施形態は、例示に過ぎず、別個の構成要素として説明されるユニットは、物理的に分離されてもよく、または、物理的に分離されなくてよい。ユニットとして示される構成要素は、物理的ユニットであってもよく、または、物理的ユニットでなくてもよく、すなわち１つの場所に配置されてもよく、または、複数のネットワークユニットに分散することができる。実施形態の本解決策の目的を達成するために、モジュールの一部または全ては、実際の必要に応じて選択され得る。当業者は、創作的努力を注ぐことなく、理解及び実施することが可能である。
【００６２】
本出願において提供されるブランド一覧情報を提供する方法及び装置が、上記において詳しく説明された。本出願の原理及び実施方法を例示するために、具体的な実施例が本文において使用される。上記の実施形態は、本出願の方法及び中核的概念の理解を助長するためにのみ用いられる。本出願の概念に従って、当業者は、特定の実施態様及び出願の範囲に、変更を加えることができる。要するに、本明細書の内容は、本出願に対する限定として解釈されるべきではない。
【図１】
2019507426.tif 000005
【図２−１】
2019507426.tif 000006
【図２−２】
2019507426.tif 000007
【図３】
2019507426.tif 000008
【図４】
2019507426.tif 000009
【図５】
2019507426.tif 000010
【国際調査報告】
2019507426.tif 000011
2019507426.tif 000012
2019507426.tif 000013
2019507426.tif 000014